(57)【特許請求の範囲】
【請求項１】
関連付けられた容器にぴったり合うように形成されたカバーであって、該カバーを貫通する開口部を画定する前記カバーと、
前記カバーに連結され、前記カバーの開口部に配置され、開位置と閉位置の間で可動な枢動蓋と、
前記枢動蓋に該枢動蓋を囲んで連結され、上面と下面を画定する蓋ガスケットとを具え、前記枢動蓋が前記閉位置にある場合前記上面と下面が前記カバーと接している、
容器蓋組立体。
【請求項２】
前記蓋ガスケットが、前記枢動蓋から外側に向かって延びる平らな環状ガスケットである、請求項１の容器蓋組立体。
【請求項３】
前記枢動蓋が前端と後端を具え、前記枢動蓋が前記前端と後端の間に設けられた枢動軸の周りを枢動し、前記枢動蓋が前記前端と比較して後端により近い傾斜部を具え、該傾斜部に下向きの力が加わる場合に前記枢動蓋が前記開位置に向かって枢動するよう形成されている、請求項１の容器蓋組立体。
【請求項４】
前記カバーが前記カバーの開口部を少なくとも部分的に画定する上壁を具え、前記枢動蓋が前記閉位置にある場合に前記傾斜部の上縁が垂直方向において前記上壁よりも高い位置に設けられている、請求項３の容器蓋組立体。
【請求項５】
前記枢動蓋が前端と後端を具え、前記枢動蓋が前記前端と後端の間に設けられた枢動軸の周りを枢動し、前記後端と隣合う前記枢動蓋に下向きの力が加わる場合に前記枢動蓋が前記開位置に向かって枢動するよう形成され、前記枢動蓋が前記閉位置にある場合に前記枢動蓋の後端に沿って配置された前記蓋ガスケットの上面が前記カバーと接し、前記枢動蓋が前記閉位置にある場合に前記枢動蓋の前端に沿って配置された前記蓋ガスケットの下面が前記カバーと接している、請求項１の容器蓋組立体。
【請求項６】
前記枢動蓋が全体として垂直方向に延びるサイド・フランジ、該サイド・フランジ上に第一戻り止め、及び前記サイド・フランジ上に蓋止めを具え、前記枢動蓋が閉位置にある場合に開位置方向への移動に抗するべく前記カバーと協働するように前記第一戻り止めが形成され、閉位置を通り過ぎてさらに閉位置方向に移動しないように前記カバーと協働するように前記蓋止めが形成されている、請求項１の容器蓋組立体。
【請求項７】
前記枢動蓋が前記サイド・フランジ上に前記蓋止め及び第一戻り止めと比較して前記枢動蓋の後端により近く位置するボスを具え、前記ボスが枢動蓋の枢動軸と同軸上に位置し、前記サイド・フランジが切欠きを具え、前記ボスが前記切欠きの片側に配置され、前記蓋止めと第一戻り止めが前記切欠きのもう一方の側に配置されている、請求項６の容器蓋組立体。
【請求項８】
前記枢動蓋が、該枢動蓋が前記閉位置を通り過ぎてさらに閉位置方向に移動しないように前記カバーと協働するように形成された蓋止めを具えている、請求項１の容器蓋組立体。
【請求項９】
前記枢動蓋が前記開位置にある場合に前記枢動蓋が前記カバーから滑らせて取外されることが可能な、請求項１の容器蓋組立体。
【請求項１０】
関連付けられた容器にぴったり合うように形成されたカバーであって、該カバーを貫通する開口部を画定する前記カバーと、
前記カバーと取外し可能に連結され、前記カバーの開口部に配置され、開位置と閉位置の間で可動な枢動蓋とを具え、該枢動蓋が前記開位置にある場合に前記枢動蓋が前記カバーから滑らせて取外されることが可能で、
前記カバーが周側壁、及び該周側壁から内側に向かって延びるストップ・エレメントを具え、前記枢動蓋が前記開位置にある場合に前記枢動蓋が前記開位置を通り過ぎて開位置方向に移動しないように前記枢動蓋が前記ストップ・エレメントと接している、容器蓋組立体。
【請求項１１】
前記カバーと前記枢動蓋が、前記枢動蓋が前記閉位置にある場合に前記カバーから前記枢動蓋を取外すことができないように形成されている、請求項１０の容器蓋組立体。
【請求項１２】
前記カバーと前記枢動蓋が、前記枢動蓋が前記開位置以外のいずれの位置にある場合でも前記カバーから前記枢動蓋を取外すことができないように形成されている、請求項１０の容器蓋組立体。
【請求項１３】
前記枢動蓋が前記閉位置から開位置まで枢動する場合に前記枢動蓋が第一線から第二線までｘ°枢動し、前記枢動蓋を前記第二線と同じ方向、すなわち平行な方向に移動させた場合に前記枢動蓋が前記カバーから滑らせて取外されることが可能な、請求項１０の容器蓋組立体。
【請求項１４】
前記カバーが周側壁、及び該周側壁から内側に向かって延びるＵ字型ガイド壁を具え、前記枢動蓋が前記Ｕ字型ガイド壁に受入れられ、取外されることも可能なボスを具え、前記枢動蓋を第二線と同じ方向、すなわち平行な方向に引っ張った場合に前記枢動蓋が前記Ｕ字型ガイド壁から取外されるように前記Ｕ字型ガイド壁が方向付けられている、請求項１３の容器蓋組立体。
【請求項１５】
前記カバーが、枢動蓋がカバーに対して回転することができる一方で、カバーに対して前記第二線と一致する又は平行な方向以外の方向に直進移動ができないように前記ボスと協働する第二戻り止めを具えている、請求項１４の容器蓋組立体。
【請求項１６】
前記カバーが前記周側壁から内側に向かって延びるＵ字型ガイド壁を具え、前記枢動蓋が前記Ｕ字型ガイド壁に受入れられ、取外されることも可能なボスを具え、前記ストップ・エレメントが前記Ｕ字型ガイド壁の２つの直線部と平行な接触面を画定する、請求項１０の容器蓋組立体。
【請求項１７】
前記カバーが前記周側壁から内側に向かって延びるキャッチ・エレメントを具え、前記枢動蓋が前記閉位置にある場合に前記枢動蓋の前記開位置方向への移動を妨げるべく前記キャッチ・エレメントにキャッチされ、該キャッチ・エレメントと協働する第一戻り止めを前記枢動蓋が具えている、請求項１６の容器蓋組立体。
【請求項１８】
前記カバーが前記周側壁から内側に向かって延びる移動限界面を具え、前記枢動蓋が前記閉位置を通り過ぎてさらに閉位置方向に移動しないように前記移動限界面と協働する蓋止めを前記枢動蓋が具えている、請求項１７の容器蓋組立体。
【請求項１９】
前記キャッチ・エレメントがキャッチ面と前記移動限界面を具え、前記第一戻り止めが前記キャッチ面と係合する細長突出部である、請求項１８の容器蓋組立体。
【請求項２０】
関連付けられた容器にぴったり合うように形成されたカバーであって、該カバーを貫通する開口部を少なくとも部分的に画定する周側壁を具えている前記カバーと、
前記カバーに連結され、前記カバーの開口部に配置され、枢動軸の周りを枢動可能な枢動蓋と
前記枢動蓋に該枢動蓋を囲んで連結され、前記枢動蓋が閉位置にある場合に前記枢動軸の両側においてカバーに対してシールを施す蓋ガスケットとを具えている、容器蓋組立体。
【請求項２１】
前記カバーの前端に沿う前記周側壁が前記周側壁の上縁に向かって外側に曲がっており、前記カバーが前記カバーの上壁から下に向かって垂れ下がっていて前記カバーの開口部の後ろの境界を画定する内壁を具え、前記内壁が前記カバーの後端に向かって下方、且つ後方向きに曲がっている、請求項２０の容器蓋組立体。
【発明の詳細な説明】
【背景技術】
【０００１】
食物及び他の品目を収容するために使われる容器は、容器に収容される食物の質と鮮度を維持するべく、容器を密閉する密封可能な蓋を具える。多くの異なるタイプの密封可能な蓋がある。いくつかの容器は、容器を密閉するためにスナップフィット又はフリクションフィット蓋を具える。これらの蓋の容器への固定は難しい場合がある。他の蓋では、容器に蓋を保持するために容器に係合し、蓋と容器の密閉を保つラッチを具えるものもある。時々これらのラッチは操作が難しい場合がある。また、容器から注がれる食物を入れる容器に、容易に開けることができて、且つこのような容器を適切に密閉できる蓋を設計することは困難な場合がある。
【発明の概要】
【０００２】
前述を考慮し、本発明の容器蓋組立体はカバー、カバーに連結された枢動蓋、及び枢動蓋に枢動蓋を囲んで連結された蓋ガスケットを具える。カバーは関連付けられた容器にぴったり合うように形成され、カバーを貫通する開口部を画定する。枢動蓋はカバーの開口部に配置される。枢動蓋は開位置と閉位置の間で可動である。蓋ガスケットは上面と下面を画定する。枢動蓋が閉位置にあるとき、蓋ガスケットの上面と下面はカバーと接する。
【０００３】
他の例の容器蓋組立体は、カバーとカバーに連結された枢動蓋を具える。カバーは関連付けられた容器にぴったり合うように形成され、カバーを貫通する開口部を画定する。枢動蓋はカバーと取外し可能に連結され、カバーの開口部に配置される。枢動蓋は開位置と閉位置の間で可動である。枢動蓋が開位置にある場合、枢動蓋を滑らせてカバーから取外すことができる。
【０００４】
他の例の容器蓋組立体は、カバー、カバーに連結された枢動蓋、及び枢動蓋に枢動蓋を囲んで連結された蓋ガスケットを具える。カバーは関連付けられた容器とぴったり合うように形成され、カバーを貫通する開口部を少なくとも部分的に画定する周壁を具える。枢動蓋はカバーに連結され、カバーの開口部に配置され、枢動軸の周りを枢動することができる。枢動蓋が閉位置にあるとき、蓋ガスケットは枢動蓋と連結し、枢動軸の両側においてカバーに対してシールを施す。
【図面の簡単な説明】
【０００５】
【図１】図１は容器の上開口部を覆うのに適した容器蓋組立体の斜視図。
【０００６】
【図２】図２は容器から取外された状態の図１に示される容器蓋組立体の斜視図。
【０００７】
【図３】図３は図１に示される容器蓋組立体のカバーの斜視図。
【０００８】
【図４】図４は開位置の枢動蓋を伴う図１に示される容器蓋組立体の断面図。
【０００９】
【図５】図５は枢動蓋に連結されたガスケットを伴う図１に示される容器蓋組立体の枢動蓋の斜視図。
【００１０】
【図６】図６は図５に類似しているが、枢動蓋にガスケットが取付けられていない枢動蓋の斜視図。
【発明を実施するための形態】
【００１１】
図１は容器１２と容器蓋組立体１４を具える容器組立体１０を示す。図２を参照して、容器１２は底壁１６と、底壁１６から上方に延びている容器側壁１８を具え、それらは中に品目が収容され得る区画２２を画定する。容器１２はまた上開口部２０も具え、容器蓋組立体１４は容器側壁１８と接し、上開口部２０を覆う。
【００１２】
図３は容器蓋組立体１４のカバー３０（図１）を示す。カバー３０は容器１２の上開口部２０（図２）を少なくとも部分的に覆うために容器１２にぴったり合うように形成される。カバーガスケット３２はカバー３０と容器１２の側壁１８（図２）の間を密閉するべくカバーを囲む。
【００１３】
カバー３０はカバー３０を貫通する開口部３６を少なくとも部分的に画定する周側壁３４を具える。カバー３０はまた、前端３８及び後端４０と称するものを具える。用語「前」と「後」は、示された図面、及び容器組立体１０がどのように使用され得るかについての理解を容易にするために用いられる。しかしながら、これらの方向を示す用語は、特にそのように宣言されない限り、容器蓋組立体１４を特定の構成に限定するものではない。
【００１４】
図４においてよりはっきり分かるように、周側壁３４は全体として垂直に方向付けられている。周側壁３４は平面視で長円（ｏｂｒｏｕｎｄ）であるが、周側壁３４の形は、容器蓋組立体１４が取付けられる容器１２の上開口部２０の形に基づいて変えてもよい。周側壁３４は内面４４と外面４６を画定する。周側壁３４はカバー３０を囲み、示された実施例では切れ目がない。カバー３０はまた、上縁４８及び下縁５２を具える。図４においてよりはっきり分かるように、カバー３０の前端３８に沿う周側壁３４は、周側壁３４の上縁４８に向かって外側に曲がっている。カバー３０の前端３８の領域の周側壁３４は、容器組立体１０から内容物を注ぐ際に役立つ。例えば、容器組立体１０がシリアルを収容している場合、前端３８に沿う周側壁３４の外側に向かってカーブした領域によって、カバー３０の開口部３６を介して、容器１２からシリアルを容易に注ぐことができる。
【００１５】
カバー３０はまた、周側壁３４を囲み周側壁３４から外側に向かって延びるフランジ５４を具える。フランジ５４の形状はカバー３０の形状に基づいて変化し得る。例えば、カバー３０の前端３８のフランジ５４の形状は、カバー３０の後端４０のフランジ５４の形状とは異なる。フランジ５４はカバー３０に連結されているカバーガスケット３２を覆う。図４においてよりはっきり分かるように、周側壁３４はまた、カバー３０へのカバーガスケット３２の取付けを容易にすべく穴５６を具えてもよい。カバーガスケット３２は、カバーガスケット３２をカバー３０と連結するために、穴５６に受入れられる一体に形成されたつまみ５８を具える。カバーガスケット３２はまた、上方に角度付けされたフィン６０を具える。フィン６０が上方に角度付けされていることによって、カバー３０を容器１２に向かって下方向に押す場合、容器１２へのカバー３０の取付けが容易になる。容器蓋組立体１４が容器１２の上に置かれている場合、フランジ５４は容器１２と接触してもよい。
【００１６】
カバー３０はまた、周側壁３４と比較して全体として水平に設けられた上壁６２を具える。上壁６２はまた、カバー３０の開口部３６を少なくとも部分的に画定する。上壁６２は後端４０に沿う周側壁３４から前方に向かって延びる。全体として垂直な内壁６４は、上壁６２から下方向に向かって延びており、カバー３０の開口部３６の後側の境界を画定する。内壁６４は、以下により詳述される後部密閉面６６を画定すべく、カバー３０の後端４０に向かって下方、且つ後方向きに曲がっている。
【００１７】
カバー３０はまた、容器蓋組立体１４の枢動蓋６８と協働する構成要素を具える。これらの構成要素は図３においては、カバー３０の片側に示される。図３では視認できないが、示された実施例では、以下に記載されるそれぞれの要素はまた、カバー３０の反対側にもある。図３で視認できないそれぞれの構成要素は、カバー３０の反対側に配置され、カバー３０の前端３８及び後端４０に対して、その相対する構成要素と同じ側に位置する。
【００１８】
カバー３０はガイド壁７０（図３ではその１つのみ視認できる。）を具える。示された実施例では、各ガイド壁７０はＵ字型であり、周側壁３４の内面４４から内側に向かって延びている。各Ｕ字型ガイド壁７０は、湾曲部７２、下直線部７４、及び上直線部７６を具える。カバー３０はまた、戻り止め７８（図３ではその１つのみ視認できる。）を具える。各戻り止め７８はそれぞれ、各Ｕ字型ガイド壁７０の湾曲部７２から一定の半径分オフセットされている。
【００１９】
カバー３０はまた、ストップ・エレメント８２（図３ではその１つのみ視認できる。）を具える。各ストップ・エレメント８２は周側壁３４の内面４４から内側に向かって延びる。各ストップ・エレメント８２はＵ字型ガイド壁７０の直線部７４及び７６と全体として平行な接触面８４を画定する。各ストップ・エレメント８２は、それぞれのＵ字型ガイド壁７０、及びそれぞれの戻り止め７８より後ろに設けられる。各ストップ・エレメント８２上の接触面８４は垂直方向において戻り止め７８より下に設けられる。
【００２０】
カバー３０はまた、キャッチ・エレメント８６（図３ではその１つのみ視認できる。）を具える。各キャッチ・エレメント８６は周側壁３４の内面４４から内側に向かって延びる。各キャッチ・エレメント８６はＵ字型ガイド壁７０と戻り止め７８より前に設けられる。戻り止め７８とＵ字型ガイド壁７０はキャッチ・エレメント８６とストップ・エレメント８２の間に設けられる。各キャッチ・エレメント８６は下端９０のキャッチ面８８、及び上端９４の移動限界面９２を画定する。各Ｕ字型ガイド壁７０、戻り止め７８、ストップ・エレメント８２、及びキャッチ・エレメント８６は、カバー３０と連結された枢動蓋６８と協働し、カバー３０の開口部３６に配置される。
【００２１】
容器蓋組立体１４はカバー３０、カバー３０に連結されカバー３０の開口部に配置された枢動蓋６８、及び枢動蓋６８に連結された蓋ガスケット１００を具える。枢動蓋６８は図４で示される開位置と図１で示される閉位置の間で可動である。枢動蓋６８が閉位置と図４で示される開位置の間に位置する場合、容器蓋組立体１４は、中身が容器１２から注がれ得るため、「開」である。図５を参照して、示された実施例における枢動蓋６８は、前端１１０と後端１１２を含む１つのプラスチック片として形成される。枢動蓋６８は、前端１１０と後端１１２の間に設けられた枢動軸１１４の周りを枢動する。
【００２２】
枢動蓋６８は、枢動蓋６８が閉位置にある場合（図１参照。）に、少なくとも実質的にカバー３０の開口部３６を覆う、頂壁１２０を具える。図５を参照して、頂壁１２０は、全体として平らで、平面上にあり、水平方向に向けられている下部１２２を具える。頂壁１２０はまた、下部１２２より後方に設けられた傾斜部１２４を具える。傾斜部１２４は、傾斜部１２４の上縁１２６を画定するために、下部１２２から上方、且つ後方に向かって角度付けされている。傾斜部１２４の上縁１２６は、枢動蓋６８が図１及び２に示されるような閉位置にある場合に、垂直方向において上壁６２より高い位置に設けられる。これにより操作者は、枢動蓋６８を開くためにどこを押すべきかについての視覚的表示を与えられる。示された実施例において、傾斜部１２４は、前端１１０と比較して後端１１２により近く、枢動蓋６８は、傾斜部１２４に下方向の力が加わる場合に、（図４に示されるように）開位置に向かって枢動するように形成される。
【００２３】
枢動蓋６８はまた、枢動蓋６８を囲む上辺（ｕｐｐｅｒ ｒｉｄｇｅ）１３０と下辺（ｌｏｗｅｒ  ｒｉｄｇｅ）１３２を具える。上辺１３０と下辺１３２はチャネル１３４を画定し、蓋ガスケット１００はこのチャネル１３４に受入れられる。示された実施例では、下辺１３２は枢動蓋６８への蓋ガスケット１００の取付けを容易にするために、切欠き１３６を具える。図５及び６では視認できないが、もう１つの切欠き１３６が、枢動蓋６８の前端１１０及び後端１１２に対して同様の位置で枢動蓋６８の反対側に設けられてもよい。蓋ガスケット１００は、枢動蓋６８と蓋ガスケット１００の取付けを容易にするために、切欠き１３６に受入れられるバンプ１３８を具える。バンプ１３８において、以下により詳述される蓋ガスケット１００の厚みは厚くなっている。
【００２４】
枢動蓋６８はまた、枢動蓋６８の両側にサイド・フランジ１５０を具える。図５及び６では一方のサイド・フランジ１５０の１部分しか視認できないが、しかし、それぞれのサイド・フランジ１５０の構造は同じである。そのため、反対側のサイド・フランジ１５０が同じ構造であるとの理解のもと、片方のサイド・フランジ１５０のみを詳述する。
【００２５】
サイド・フランジ１５０は下辺１３２から下に向かって延び、全体として垂直に向けられている。サイド・フランジ１５０は切欠き１５６によって隔てられた前部１５２と後部１５４を具える。前部１５２は後部１５４より可撓性があり、内側に向かって曲がってカバー３０のキャッチ・エレメント８６と協働するように設計されている。図４を参照して、サイド・フランジ１５０の後部１５４は、内側に向かって延び、且つ後部１５４を剛性にする支柱１５８を具える。
【００２６】
再び図５及び６を参照して、枢動蓋６８は、前部１５２の下端１６４の近くに、戻り止めとして機能する細長突出部１６２を具える。細長突出部１６２は、チャネル１３４及びチャネル１３４に受入れられた蓋ガスケット１００に対して全体として平行な方向に延びる。細長突出部１６２は、閉位置において枢動蓋６８を保持するために、キャッチ・エレメント８６のキャッチ面８８と協働する。枢動蓋６８が閉位置にある場合、細長突出部１６２はキャッチ面８８と接する。（図４に示された）開位置から閉位置に移動する場合、細長突出部１６２がキャッチ・エレメント８６に乗り上げて、キャッチ面８８と係合すると前部１５２は後ろ外側方向に向かって曲がり、それまでは、細長突出部１６２はキャッチ・エレメント８６に沿って移動し、前部１５２は内側に向かって曲がる。
【００２７】
枢動蓋６８はまた、前部１５２の外面１６６から外側に向かって延びる蓋止め１７０を具える。蓋止め１７０は全体としてブロック形状であり、接触面１７２を画定する。接触面１７２は蓋止め１７０の下側にあり、水平面に対して角度付けされている。蓋止め１７０は、枢動蓋６８が図１に示される閉位置を通り過ぎてさらに閉位置方向に回転しないように、カバー３０と協働するように形成される。枢動蓋６８が閉位置にある場合、蓋止め１７０の接触面１７２はキャッチ・エレメント８６の上端９４で移動限界面９２と接する。この接触により、枢動蓋６８は閉位置を通り過ぎてさらに閉位置方向に回転することができない。
【００２８】
枢動蓋６８はまた、サイド・フランジ１５０上に、蓋止め１７０及び細長突出部１６２と比較して枢動蓋６８の後端１１２により近く位置する、戻り止めとして機能するボス１８０を具える。示された実施例において、ボス１８０はサイド・フランジ１５０の後部１５４の上に配置されている。上述したとおり、サイド・フランジ１５０は切欠き１５６を具え、ボス１８０は切欠き１５６の片側に配置され、 戻り止めとして機能する蓋止め１７０及び細長突出部１６２は切欠き１５６のもう一方の側に配置される。ボス１８０は枢動蓋６８の枢動軸１１４と同軸上にある。各ボス１８０は、カバー３０の各Ｕ字型ガイド壁７０に受入れられることも、そこから取外されることも可能である。ボス１８０によって画定される開口部１８２がガイド壁７０の内側に設けられた戻り止め７８を受入れている場合、ボス１８０はＵ字型ガイド壁７０に対して適切に位置合わせされている。
【００２９】
枢動蓋６８は、滑らせてカバー３０から取外され得る。枢動蓋６８を滑らせてカバー３０から取外すためには、枢動蓋６８を図４に示される開位置に向かって動かす。枢動蓋６８が図１に示される閉位置にある場合に、カバー３０から枢動蓋６８を取外すことができないようにカバー３０と枢動蓋６８は形成される。枢動蓋６８が図４に示される開位置以外のいずれの位置にある場合でも、カバー３０から枢動蓋６８を取外すことができないようにカバー３０と枢動蓋６８が形成されてもよい。図４を参照して、枢動蓋６８は、閉位置（図１参照。）から図４に示される開位置まで枢動する場合、第一線１８４から第二線１８６までｘ度枢動する。枢動蓋６８を第二線１８６と同じ方向、すなわち平行な方向に動かすと（矢印１９０参照。）、枢動蓋６８を滑らせてカバー３０から取外すことができる。
【００３０】
枢動蓋６８を第二線１８６と同じ方向、すなわち平行な方向に引っ張ったときに、枢動蓋６８を各Ｕ字型ガイド壁７０から取外せるように、カバー３０のＵ字型ガイド壁７０は方向付けられている。枢動蓋６８が開位置にある場合の頂壁１２０の下部１２２がある平面と平行な矢印１９０と直線部７４、７６が平行になるように、Ｕ字型ガイド壁７０を位置合わせする。これによりカバー３０から枢動蓋６８を容易に取外すことができる。しかしながら、枢動蓋６８が図４で示される開位置以外の位置にある場合、同じ方向に枢動蓋６８を引っ張っても、ボス１８０がＵ字型ガイド壁７０の下直線部７４に接するため、カバー３０から枢動蓋６８を取外すことはできない。
【００３１】
枢動蓋６８をカバー３０から取外した後、図４に示された方法と同様の方法で枢動蓋６８の向きを合わせ、カバー３０に対して矢印１９０とは反対の直進方向に枢動蓋６８を動かすことによって、操作者は枢動蓋６８を元の位置に戻すことができる。枢動蓋６８はカバー３０と連結されており、枢動蓋６８はカバー３０に対して枢動軸１１４の周りを回転することができる一方で、枢動蓋６８がカバー３０に対して直進移動ができないように、カバー３０の戻り止め７８は、枢動蓋６８のボス１８０と協働する。
【００３２】
蓋ガスケット１００は枢動蓋６８に連結される。蓋ガスケット１００は全体として環状であり、枢動蓋６８に形成されたチャネル１３４の形に従う。蓋ガスケット１００は上面１９２と下面１９４を画定する。枢動蓋６８が閉位置にある場合、上面１９２と下面１９４の両方がカバー３０と接する。枢動蓋６８が閉位置にある場合、枢動蓋６８の後端１１２に沿って配置された蓋ガスケット１００の上面１９２は、カバー３０と接する。特に、後端１１２に沿って配置された蓋ガスケット１００の上面１９２は、カバー３０の開口部３６の後ろの境界を画定する内壁６４の後部密閉面６６と接する。枢動蓋６８が閉位置にある場合、枢動蓋６８の前端１１０に沿って配置された蓋ガスケット１００の下面１９４はカバー３０と接する。蓋ガスケット１００の下面１９４は、周側壁３４が上縁４８に向かって外側に曲がっているカバー３０の前端３８に沿う周側壁３４の内面４４と接する。蓋ガスケット１００はまた、下面１９４と上面１９２を相互に連結する周縁１９６具える。枢動蓋６８が閉位置にある場合、蓋ガスケット１００の周縁１９６は、カバー３０の前端３８と内壁６４の間の周側壁３４の内面４４と接する。このように、枢動蓋６８が閉位置にある場合、蓋ガスケット１００は、枢動蓋６８とカバー３０の間の密閉シールとして機能し得る。
【００３３】
蓋ガスケット１００は図面においては平たいガスケットとして示される。蓋ガスケット１００は他の構成、例えば、圧縮可能な中空シール、又は発泡タイプガスケットであってもよい。枢動蓋６８が閉位置にある場合、このような蓋ガスケット１００は枢動軸１１４の両側のカバー３０に対してシールを施す。
【００３４】
容器蓋組立体を具える容器組立体についてこれまで詳細に説明してきた。前記の詳細な説明を読み、理解することで、改良及び改変が想起されるであろう。しかしながら、本発明は、上述した実施例に限定されるものではない。本発明は、むしろ、添付の請求項、及びその均等物によって広く定められるものである。上記の開示、その他の特徴及び機能、すなわち、それらの改変又は変更が望ましく結びつけられて、他の異なる多くのシステム、すなわち、応用例になり得るということが理解されるであろう。また、現時点では思いつかない、若しくは想定外の様々な代替、修正、変更、又は改良が当業者によって後になされるであろうが、それもまた、添付の請求項に含まれることが意図されている。
【図１】
0006673844.tif 000002
【図２】
0006673844.tif 000003
【図３】
0006673844.tif 000004
【図４】
0006673844.tif 000005
【図５】
0006673844.tif 000006
【図６】
0006673844.tif 000007